(57)【要約】  【課題】  記録媒体を収容した媒体ケースを包装する記録媒体の包装用保持枠を、簡単な構成で安価に提供する。  【解決手段】  厚紙や段ボール等からなる台紙により形成された保持枠本体２と、保持枠本体２を切り込むことにより形成され、かつ媒体ケース４の角部を上方より係止する係止部２ｃと、係止部２ｃに連続するよう形成され、かつ媒体ケース４の側面に当接して媒体ケース４の前後方向の移動を係止する切込み部３ｃと、保持枠本体２を折り曲げることにより形成され、かつ媒体ケース４の側面に当接して媒体ケース４の左右方向の移動を係止する中間壁２ｋとから包装用保持枠を構成したことから、一枚の台紙に係止部２ｃと切り込み部３ｃとを形成する切込みを入れるだけ保持枠本体２が形成できるため、記録媒体５の包装用保持枠が簡単な構成で安価に得られる。【選択図】  図１
2005041528.tif 000002
【特許請求の範囲】
【請求項１】
ディスク状の記録媒体を収容した媒体ケースを包装する包装用保持枠であって、厚紙や段ボール等からなる台紙により形成された保持枠本体と、前記保持枠本体を切り込むことにより形成され、かつ前記媒体ケースの角部を上方より係止する係止部と、前記係止部に連続するよう形成され、かつ前記媒体ケースの側面に当接して前記媒体ケースの前後方向の移動を係止する切込み部と、前記保持枠本体を折り曲げることにより形成され、かつ前記媒体ケースの側面に当接して前記媒体ケースの左右方向の移動を係止する中間壁とを具備したことを特徴とする記録媒体の包装用保持枠。
【請求項２】
前記媒体ケースを下方より支持する下部係止部を、前記係止部と対向する位置に切り起こし形成してなる請求項１に記載の記録媒体の包装用保持枠。
【請求項３】
ディスク状の記録媒体を収容した媒体ケースを包装する包装ケースであって、上面が開口し、かつ開口部に開閉自在な蓋体が設けられた扁平なケース本体と、厚紙や段ボール等からなる台紙よりなり、前記ケース本体内に着脱自在に設けられた保持枠本体と、前記保持枠本体を切り込むことにより形成され、かつ前記媒体ケースの角部を上方より係止する係止部と、前記係止部に連続するよう形成され、かつ前記媒体ケースの側面に当接して前記媒体ケースの前後方向の移動を係止する切込み部と、前記保持枠本体を折り曲げることにより形成され、かつ前記媒体ケースの側面に当接して前記媒体ケースの左右方向の移動を係止する中間壁とを具備したことを特徴とする記録媒体の包装ケース。
【請求項４】
前記保持枠本体を折り曲げることにより上面部と、互いに平行する内側壁を形成し、かつ前記内側壁の間にマニュアルを収容してなる請求項３に記載の記録媒体の包装ケース。
【発明の詳細な説明】
【技術分野】
【０００１】
本発明はディスク状の記録媒体を包装する包装用保持枠及び包装ケースに関する。
【背景技術】
【０００２】
ディスク状の記録媒体は、コンピュータソフトを記録したり、音楽や映像を記録するのに使用されているが、記録面に少しでも傷が付くと使用不能となることから、従来では記録媒体を、プラスチックケースよりなる媒体ケースに収容した上、さらに媒体ケースをダンボール等の素材により製作した包装ケース内に収容して出荷している。
【０００３】
またこの種の包装ケースとしては、例えば特許文献１に記載されたものが公知である。
【特許文献１】特開平９−１８３４７８号公報（段落０００８，０００９）。
【０００４】
前記従来の包装ケースに用いられた「内装用保持枠」は、図１０及び図１１に示すように、腰のある厚紙ないし段ボールにより形成された上下２重の底壁ａの上面に、平面ほぼコ字形の保持枠部ｂを、開口部ｃが互に対向するよう切り起し形成し、これら保持枠部ｂによりディスクケースｄの角部を保持することにより、ディスクケースｄの水平方向の移動を規制すると共に、前記保持枠部ｂの内側角部に、ディスクケースｄの上方向の移動を規制するコーナ部ｅを形成し、底壁ａに、底壁ａよりディスクケースｄの底面を浮かした状態で支持する支持片ｆを切り起し形成した構成となっている。
【発明の開示】
【発明が解決しようとする課題】
【０００５】
しかし前記従来の内装用保持枠では、前記公報の図３に記載された展開図からも明らかなように、１枚の台紙からほぼコ字形の保持枠部ｂやコーナ部ｅ、支持片ｆを切り起し形成するために、多くの切り込み部や打ち抜き部を形成する必要があり、製作や組み立てるのに手間がかかる問題がある。
【０００６】
特に量産する場合、打ち抜き金型を使用して台紙に切り込み部や打ち抜き部を形成するが、前記従来の内装用保持枠では切り込み部や打ち抜き部が複雑なため金型が高価になることから、内装用保持枠のコストが上る等の問題がある。
【０００７】
本発明はかかる従来の問題を改善するためになされたもので、記録媒体を収容した媒体ケースを包装する記録媒体の包装用保持枠及び包装ケースを、簡単な構成で安価に提供することを目的とするものである。
【課題を解決するための手段】
【０００８】
前記目的を達成するため本発明の記録媒体の包装用保持枠は、ディスク状の記録媒体を収容した媒体ケースを包装する包装用保持枠であって、厚紙や段ボール等からなる台紙により形成された保持枠本体と、保持枠本体を切り込むことにより形成され、かつ媒体ケースの角部を上方より係止する係止部と、係止部に連続するよう形成され、かつ媒体ケースの側面に当接して媒体ケースの前後方向の移動を係止する切込み部と、保持枠本体を折り曲げることにより形成され、かつ媒体ケースの側面に当接して媒体ケースの左右方向の移動を係止する中間壁とから構成したものである。
【０００９】
前記構成により、一枚の台紙に係止部と切り込み部とを形成する切込みを入れるだけでよいことから、従来の多数の切り込み部や打ち抜き部を台紙に打ち抜き形成する場合に比べて、複雑で高価な金型等を使用せずに保持枠本体が形成でき、これによって記録媒体の包装用保持枠が安価に得られると共に、台紙を折り曲げる回数も従来のものに比べて大幅に少なくなるため、組み立てに要する工数の削減と、これに伴うコストの削減が図れるようになる。
【００１０】
前記目的を達成するため本発明の記録媒体の包装用保持枠は、媒体ケースを下方より支持する下部係止部を、係止部と対向する位置に切り起こし形成したものである。
【００１１】
前記構成により、下部係止部により媒体ケースの底面が保持枠本体の底面より浮いた状態に保持されるので、誤って落下させた場合でも、記録媒体が破損するのを確実に防止することができる。
【００１２】
前記目的を達成するため本発明の記録媒体の包装ケースは、ディスク状の記録媒体を収容した媒体ケースを包装する包装ケースであって、上面が開口し、かつ開口部に開閉自在な蓋体が設けられた扁平なケース本体と、厚紙や段ボール等からなる台紙よりなり、ケース本体内に着脱自在に設けられた保持枠本体と、保持枠本体を切り込むことにより形成され、かつ媒体ケースの角部を上方より係止する係止部と、係止部に連続するよう形成され、かつ媒体ケースの側面に当接して媒体ケースの前後方向の移動を係止する切込み部と、保持枠本体を折り曲げることにより形成され、かつ媒体ケースの側面に当接して媒体ケースの左右方向の移動を係止する中間壁とから構成したものである。
【００１３】
前記構成により、一枚の台紙に係止部と切り込み部とを形成する切込みを入れるだけでよいことから、従来の多数の切り込み部や打ち抜き部を台紙に打ち抜き形成する場合に比べて、複雑で高価な金型等を使用せずに保持枠本体が形成でき、これによって記録媒体の包装ケースが安価に得られると共に、ケース本体内より保持枠本体を取り出した状態で、保持枠本体に媒体ケースを脱着できるため、記録媒体の取り出しや収納が容易に行えるようになる。
【００１４】
前記目的を達成するため本発明の記録媒体の包装ケースは、保持枠本体を折り曲げることにより上面部と、互いに平行する内側壁を形成し、かつ内側壁の間にマニュアルを収容したものである。
【００１５】
前記構成により、記録媒体に付属するマニュアルの収納が容易に行えると共に、包装ケース内でマニュアルが勝手に移動したり、ガタツク心配もない。
【発明の効果】
【００１６】
本発明は以上詳述したように、厚紙や段ボール等からなる台紙により形成された保持枠本体と、保持枠本体を切り込むことにより形成され、かつ媒体ケースの角部を上方より係止する係止部と、係止部に連続するよう形成され、かつ媒体ケースの側面に当接して媒体ケースの前後方向の移動を係止する切込み部と、保持枠本体を折り曲げることにより形成され、かつ媒体ケースの側面に当接して媒体ケースの左右方向の移動を係止する中間壁とから包装用保持枠を構成したことから、一枚の台紙に係止部と切り込み部とを形成する切込みを入れるだけでよいため、従来の多数の切り込み部や打ち抜き部を台紙に打ち抜き形成する場合に比べて、複雑で高価な金型等を使用せずに保持枠本体が形成でき、これによって記録媒体の包装用保持枠が安価に得られると共に、台紙を折り曲げる回数も従来のものに比べて大幅に少なくなるため、組み立てに要する工数の削減と、これに伴うコストの削減が図れるようになる。
【発明を実施するための最良の形態】
【００１７】
図１は記録媒体用包装ケースの斜視図、図２は図１のＡ−Ａ線に沿う断面図、図３は図１のＢ−Ｂ線に沿う断面図、図４は保持枠の斜視図、図５は同展開図である。
【００１８】
図１ないし図３に示す包装ケースは、厚紙やダンボール等の台紙よりなるケース本体１と、ケース本体１内に着脱自在に収容された保持枠本体２よりなる。
【００１９】
ケース本体１は、プラスチックケースよりなる媒体ケース４に収容されたＣＤ−ＲＯＭやＣＤ−Ｒ、ＤＶＤ−ＲＯＭやＤＶＤ−Ｒ等の記録媒体５及びマニュアル（仕様書）６等が十分に収容できる大きさの底壁１ａと、底壁１ａの４辺に切り起し形成された側壁１ｂ及び長辺側の側壁１ｂの１個に連設された蓋体１ｃよりなる。
【００２０】
４辺の側壁１ｂのうち、互に隣接する３辺の側壁１ｂは端部が連設されて、上面が開口する偏平な箱状となっており、蓋体１ｃが連設された側壁１ｂは、底壁１ａとの連設部１ｄ及び蓋体１ｃとの連設部１ｅがヒンジとなって、開口部に対し蓋体１ｃが開閉自在となっており、蓋体１ｃの開放端側には、ケース本体１の側壁１ｂと、ケース本体１内に収容された保持枠本体２の外側壁２ｂとの間に挿入することにより、蓋体１ｃを閉鎖状態に保持する挿入片１ｇが折り曲げ形成されている。
【００２１】
一方ケース本体１内に着脱自在に収容された保持枠本体２は、ケース本体１と同材質の台紙より形成されていて、展開した状態では、図５に示すように一辺がケース本体１の短辺側側壁１ｂ間に嵌合できる幅のほぼ長方形状となっている。
【００２２】
保持枠本体２の短辺側両端部には、側壁１ｂの高さよりやや低い位置に、短辺側と平行するよう山折り線２ａが形成されていて、これら山折り線２ａより台紙の両端側を山折りすることにより保持枠本体２の外側壁２ｂが形成されるようになっている。
【００２３】
各山折り線２ａの間には、保持枠本体２の中央部を挟んで対角となる位置に４本の切り込み３が形成されている。
【００２４】
これら切り込み３は、保持枠本体２に対して記録媒体４が収容された媒体ケース５の上下方向の移動を規制する係合部２ｃと、前後方向の移動を規制する切り込み部３ｃとを形成するためのもので、対角位置に係合部２ｃを形成するほぼＬ字形の切り込み部３ａ，３ｂが、そして切り込み部３ａ、３ｂの一方にほぼ直角となるよう連設された切り込み部３ｃとが形成され、切り込み部３ａ，３ｂが連設する角部は小円弧状となっている。
【００２５】
また図４において左右方向に対向する切り込み３の各切り込み部３ａの間には、両端側に山折り線２ｄと谷折り線２ｅが互に間隔を存し、かつ山折り線２ａと平行するように形成されており、これら切り込み部３ａと長辺側端部との間には、谷折り線２ｅに寄った位置に山折り線２ｆが形成されていて、山折り線２ａと山折り線２ｆを山折りすることにより保持枠本体２の上面部２ｇが形成されるようになっている。
【００２６】
さらに切り込み部３ｃの端部側と長辺側端部の間には、谷折り線２ｈが形成されていて、これら谷折り線２ｈを谷折りすることにより、前記山折り線２ｆとの間に内側壁２ｉが形成されるようになっていると共に、各谷折り線２ｈの間が底壁２ｊとなっている。
【００２７】
次に前記構成された記録媒体の包装用保持枠及び包装ケースの作用を説明する。
【００２８】
まず保持枠本体２を組み立てるが、組み立てに当っては、まず谷折り線２ｈを谷折りして底壁２ｊを形成したら、次に山折り線２ｆを山折りする際に、切り込み部３ａ間の山折り線２ｄを山折りし、谷折り線２ｅを谷折りして中間壁２ｋを形成する。
【００２９】
これによって図４に示すように内側壁２ｉに、角部が小円弧状となった係止部２ｃが形成される。
【００３０】
次に両端側の山折り線２ａを山折りして上面部２ｇと外側壁２ｂを形成したら、記録媒体５を収容した媒体ケース４の角部を４個所の係止部２ｃに係止するが、このとき谷折り線２ｈと山折り線２ｆを伸展するようにして媒体ケース４の角部を、係止部２ｃと底壁２ｊの間に挿入することにより、保持枠本体２に対して媒体ケース４を簡単に装着することができる。
【００３１】
媒体ケース４の装着が完了したら、ケース本体１内へ保持枠本体２を嵌合することにより、谷折り線２ｈや山折り線２ｆ，２ａの伸展が規制されるため、各係止部２ｃから媒体ケース４の角部が外れることがなくなるので、この状態で各内側壁２ｉの間にマニュアル６を収容した後ケース本体１の蓋体１ｃを閉鎖して、記録媒体５の包装を完了するもので、保持枠本体２に保持された媒体ケース４は、前後方向の移動が切り込み部３ｃにより、また左右方向の移動が中間壁２ｋにより、そして上下方向の移動が係止部２ｃと底壁２ｊの間で規制されるため、包装ケース内でガタつくことがなく、これによって流通段階で記録媒体５が破損するのを確実に防止することができる。
【００３２】
またユーザが記録媒体５を使用する場合は、ケース本体１の蓋体１ｃを開放後、ケース本体１内より保持枠本体２を取り出して谷折り線２ｈ及び山折り線２ｆを伸展させることにより、媒体ケース４を保持枠本体２より簡単に取り出すことができるようになる。
【００３３】
なお図６ないし図９は保持枠本体２の変形例を示すもので、この変形例では、記録媒体５を収容した媒体ケース４を底壁２ｊより浮かすため、図７に示すように切り込み部３ｃの端部に、係止部２ｃと対向するよう切り込み部３ｄを形成したもので、切り込み部３ｃの長さを媒体ケース４の厚みよりやや大きくして、係止部２ｃと、切り込み部３ｄにより形成された下部係止部２ｎの間で媒体ケース４の角部を挟着するようになっている。
【００３４】
また切り込み部３ｄに立ち上がり部３ｅを形成し、この立ち上り部３ｅの端部と長辺側端部間に谷折り線２ｈを形成することにより、係止部２ｃ及び下部係止部２ｎ間に挟着された媒体ケース４の底面が図８及び図９に示すように底壁２ｊより浮き上るようにしたもので、これによってケース本体１の底面側から加えられた衝撃が直接媒体ケース４に伝わることがないので、誤って包装ケースを落下させた場合でも、記録媒体５の破損を確実に防止できるようになる。
【００３５】
なお前記実施の形態及び変形例では、記録媒体５がＣＤやＤＶＤの場合について説明したが、全体のサイズを小さくすることにより、ＦＤ等ディスク状の記録媒体にも適用できるものである。
【産業上の利用可能性】
【００３６】
本発明に係る記録媒体の包装用保持枠及び包装ケースは一枚の台紙に係止部と切り込み部とを形成する切込みを入れるだけでよいため、従来の多数の切り込み部や打ち抜き部を台紙に打ち抜き形成する場合に比べて、複雑で高価な金型等を使用せずに保持枠本体が形成でき、これによって記録媒体の包装用保持枠が安価に得られると共に、台紙を折り曲げる回数も従来のものに比べて大幅に少なくなるため、組み立てに要する工数の削減と、これに伴うコストの削減が図れるようになることによって、ディスク状の記録媒体を包装する包装用保持枠及び包装ケース等として有用である。
【図面の簡単な説明】
【００３７】
【図１】本発明の実施の形態になる記録媒体の包装ケースを示す斜視図
【図２】図１のＡ−Ａ線に沿う断面図
【図３】図１のＢ−Ｂ線に沿う断面図
【図４】本発明の実施の形態になる記録媒体の包装用保持枠を示す斜視図
【図５】本発明の実施の形態になる記録媒体の包装用保持枠を示す展開図
【図６】本発明の実施の形態になる記録媒体の包装用保持枠の変形例を示す斜視図
【図７】本発明の実施の形態になる記録媒体の包装用保持枠の変形例を示す展開図
【図８】図６のＣ−Ｃ線に沿う断面図
【図９】図６のＤ−Ｄ線に沿う断面図
【図１０】従来の記録媒体の包装用保持枠の斜視図
【図１１】図１０のＥ−Ｅ線に沿う断面図
【符号の説明】
【００３８】
１      ケース本体
１ｃ    蓋体
２      保持枠本体
２ｃ    係止部
２ｇ    上面
２ｉ    内側壁
２ｋ    中間壁
２ｎ    下部係止部
３ｃ    切り込み部
４      媒体ケース
５      記録媒体
６      マニュアル
【図１】
2005041528.tif 000003
【図２】
2005041528.tif 000004
【図３】
2005041528.tif 000005
【図４】
2005041528.tif 000006
【図５】
2005041528.tif 000007
【図６】
2005041528.tif 000008
【図７】
2005041528.tif 000009
【図８】
2005041528.tif 000010
【図９】
2005041528.tif 000011
【図１０】
2005041528.tif 000012
【図１１】
2005041528.tif 000013